(57)【特許請求の範囲】
【請求項１】
表面にデータ表示部を備えた機器本体と、該機器本体の前端側に回動可能に連結され、閉方向の回動により前記機器本体のデータ表示部を覆う蓋部とを備えた携帯型情報端末であって、
前記蓋部に衛星通信用の平面型アンテナ、アンプ及びレシーバが実装された回路基板を該蓋部の全閉時に前記実装面が前記機器本体のデータ表示部に対向するように内蔵し、且つ、前記蓋部の連結側の端部から先端側に向けて前記レシーバ、前記平面型アンテナ及び前記アンプの順番に配置すると共に、前記回路基板の実装面の反対側の面の略全域にわたって地板として機能するグランド層を設けたことを特徴とする携帯型情報端末。
【請求項２】
前記平面型アンテナを前記グランド層の中央部より前記アンプ側に配置したことを特徴とする請求項１記載の携帯型情報端末。
【請求項３】
前記アンプ及び前記レシーバをシールド板で個別に覆ったことを特徴とする請求項１又は２記載の携帯型情報端末。
【請求項４】
前記シールド板の天板を前記平面型アンテナの天面より低くしたことを特徴とする請求項３記載の携帯型情報端末。
【請求項５】
前記グランド層を略中央部で前記アンプ側と前記レシーバ側とに分離し、該分離部分の一部のみ前記アンプ側のグランド層と前記レシーバ側のグランド層とを接続したことを特徴とする請求項１〜４のいずれか一項に記載の携帯型情報端末。
【発明の詳細な説明】
【０００１】
【発明の属する技術分野】
本発明は、表面にデータ表示部を備えた機器本体と、該機器本体の前端側に回動可能に連結され、閉方向の回動により前記機器本体のデータ表示部を覆う蓋部とを備え携帯型情報端末に関し、特に、ＧＰＳ（Ｇｌｏｂａｌ  Ｐｏｓｉｔｉｏｎｉｎｇ  Ｓｙｓｔｅｍ  ）受信装置を内蔵した携帯型情報端末に関する。
【０００２】
【従来の技術】
従来のこの種の携帯型情報端末としては、例えば図２３及び図２４に示すものが知られている。
【０００３】
この携帯型情報端末ａは本体ケースｂの上側面の略中央部に液晶表示部ｃが配置され、該液晶表示部ｃの後方に操作用のキーボタンｄが配置され、液晶表示部ｃの下方には前後方向に長い主要回路基板ｅが配置され、主要回路基板ｅの下方には前側にレシーバ（ＧＰＳ基板）ｆ、後側に電池ｇが配置されている。
【０００４】
また、本体ケースｂの液晶表示部ｃの前方は下方に傾斜しており、内部に地板（グランド層）ｈ、アンプｉ及び衛星通信用の平面型アンテナｊが積層された状態で配置され、アンプｉとレシーバｆは同軸ケーブルｋにより電気的に接続されている。
【０００５】
更に、特開平１０−１９７６６２号公報には、衛星通信用の平面型アンテナ、アンプ、レシーバ及び地板を積層状態で一体化したＧＰＳ受信装置が開示されている。
【０００６】
【発明が解決しようとする課題】
図２３及び図２４に示す携帯型情報端末においては、アンプｉとレシーバｆとを同軸ケーブルｋで接続しているため、構造が複雑となるばかりか、同軸ケーブルｋ及び接続部に要するコネクタが非常に高価でコスト低減の妨げになり、しかも、同軸ケーブルｋの取り回し（ｆｏｒｍｉｎｇ）によって受信性能に影響が出やすいため、取り回しが変わると容易に個体差を生じて安定した受信性能を確保することが難しいという不都合がある。
【０００７】
また、主要回路基板ｅから放射されるノイズを平面型アンテナｊが拾って受信感度を劣化させるのを防止するには、主要回路基板ｅと平面型アンテナｊとの距離を離す必要があるが、小型化を図る観点から主要回路基板ｅと平面型アンテナｊとの距離を離すにも限界があり、製品の投影面積内以上に離すことができないという不都合がある。
【０００８】
一方、特開平１０−１９７６６２号公報のＧＰＳ受信装置では、平面型アンテナ、アンプ、レシーバ及び地板を積層状態で一体化しているため、同軸ケーブルが不要になって上述した同軸ケーブルによる種々の不都合を回避することができるが、要素を積層しているため薄型化には適しておらず、また、平面型アンテナの指向性に重要な役割を担う地板の面積を大きくとれないため、良好な受信性能を確保することが難しく、主要回路基板からのノイズも拾いやすいという不都合がある。
【０００９】
本発明はこのような不都合を解消するためになされたものであり、簡単な構造で薄型化及び小型化を低コストで達成することができると共に、良好且つ安定性に優れた受信感度及び受信性能を確保することができる携帯型情報端末を提供することを目的とする。
【００１０】
【課題を解決するための手段】
上記目的を達成するために、請求項１に係る携帯型情報端末は、表面にデータ表示部を備えた機器本体と、該機器本体の前端側に回動可能に連結され、閉方向の回動により前記機器本体のデータ表示部を覆う蓋部とを備えた携帯型情報端末であって、
前記蓋部に衛星通信用の平面型アンテナ、アンプ及びレシーバが実装された回路基板を該蓋部の全閉時に前記実装面が前記機器本体のデータ表示部に対向するように内蔵し、且つ、前記蓋部の連結側の端部から先端側に向けて前記レシーバ、前記平面型アンテナ及び前記アンプの順番に配置すると共に、前記回路基板の実装面の反対側の面の略全域にわたって地板として機能するグランド層を設けたことを特徴とする。
【００１１】
この手段によれば、衛星通信用の平面型アンテナ、アンプ及びレシーバが実装された回路基板を蓋部に内蔵して、蓋部の連結側の端部から先端側に向けてレシーバ、平面型アンテナ及びアンプの順番に配置しているため、蓋部の全開状態においては、機器本体側の主要回路基板に対して平面型アンテナを製品（蓋部の全閉状態）の投影面積以上に遠ざけることができ、この結果、平面型アンテナが機器本体側の回路基板から放射されるノイズの影響を受けにくくなって、安定した受信性能を確保することができ、また、機器本体側の回路基板から放射されるノイズが大きく影響するアンプを該回路基板からできるだけ離れた位置に配置することができる。
【００１２】
また、蓋部に内蔵された回路基板の実装面の反対側の面の略全域にわたってグランド層を広い範囲に設けているため、安定した受信指向性が得られて受信感度の向上を図ることができる。
【００１３】
更に、レシーバ、平面型アンテナ及びアンプは回路基板に一体に実装されているため、従来のように、アンプとレシーバとを接続する高価な同軸ケーブルや接続用のコネクタが不要になるため、構造が簡単となると共に、コスト低減を図ることができる。
【００１４】
更に、蓋部に衛星通信用の平面型アンテナ、アンプ及びレシーバが実装された回路基板を内蔵し、しかも、レシーバ、平面型アンテナ及びアンプを平面的に分散して配置しているため、従来のような積層タイプに比べて小型化及び薄型化を図ることができる。
【００１５】
請求項２に係る携帯型情報端末は、請求項１において、前記平面型アンテナを前記グランド層の中央部より前記アンプ側に配置したことを特徴とする。
【００１６】
この手段によれば、後述する理由により、数多くの衛星からの電波を捕捉することができる。
【００１７】
請求項３に係る携帯型情報端末は、請求項１又は２において、前記アンプ及び前記レシーバをシールド板で個別に覆ったことを特徴とする。
【００１８】
この手段によれば、アンプ側とレシーバ側がそれぞれノイズの影響等で干渉するのを防止することができる。
【００１９】
請求項４に係る携帯型情報端末は、請求項３において、前記シールド板の天板を前記平面型アンテナの天面より低くしたことを特徴とする。
【００２０】
この手段によれば、アンプ及びレシーバを個別に覆うシールド板が平面型アンテナの受信特性を劣化させるのを防止することができる。
【００２１】
請求項５に係る携帯型情報端末は、請求項１〜４のいずれか一項において、前記グランド層を略中央部で前記アンプ側と前記レシーバ側とに分離し、該分離部分の一部のみ前記アンプ側のグランド層と前記レシーバ側のグランド層とを接続したことを特徴とする。
【００２２】
この手段によれば、平面型アンテナの受信感度をより安定したものとすることができる。
【００２３】
【発明の実施の形態】
以下、本発明の実施の形態を図を参照して説明する。
【００２４】
図１は本発明の第１の実施の形態である携帯型情報端末を説明するための蓋部を全開状態にした全体斜視図、図２は図１に示す携帯型情報端末の蓋部を全閉状態にした全体斜視図、図３は図１に示す携帯型情報端末の裏面側から見た全体斜視図、図４は携帯型情報端末の蓋部を全開状態にし、且つ、ヒンジカバーを取り外した状態の全体斜視図、図５はグリスダンパーの全体斜視図、図６はグリスダンパーの分解斜視図、図７は図６の矢印Ｅ方向から見た斜視図、図８はグリスダンパーの内部構造を説明するための説明的断面図、図９（ａ）は図８のＡ−Ａ線断面図、図９（ｂ）は図８のＢ−Ｂ線断面図、図１０は蓋部の全体斜視図、図１１は蓋部の分解斜視図、図１２はアンテナ一体型ＧＰＳ基板ユニットの全体斜視図、図１３はアンテナ一体型ＧＰＳ基板ユニットのアンプのシールド板とレシーバのシールド板とを取り外した状態を示す分解斜視図、図１４はグランド層のパターンを説明するための平面図、図１５（ａ）は蓋部を全閉状態にした概略図、図１５（ｂ）は蓋部を全開状態にした概略図、図１６は地板と平面型アンテナとの位置関係による指向性の相違を説明するための説明図、図１７は本実施形態のグランド層と平面型パッチアンテナとの位置関係での指向性を説明するための説明図、図１８〜図２０は本発明の第２の実施の形態である携帯型情報端末を説明するための説明図、図２１及び図２２は本発明の第３の実施の形態である携帯型情報端末を説明するための図である。なお、この実施の形態では、ＧＰＳ受信装置を備えた携帯型情報端末を例に採る。
【００２５】
まず、第１の実施の形態から説明すると、図１〜図４において、符号１はＧＰＳ受信装置を備えた携帯型情報端末であり、この携帯型情報端末１は、偏平な直方体状の機器本体２と、該機器本体２の前端部に回動軸としてのグリスダンパー３を介して回動可能に連結された蓋部４とを備えている。
【００２６】
機器本体２のケース部分はそれぞれ合成樹脂材で成形された上側半体２Ｕと下側半体２Ｌとを上下に合わせてビス止めした構造とされており、機器本体２の内部には上下及び両側面がシールド板で電磁シールドされた主要回路基板１ａ（図１５参照）が収容されていると共に、該主要回路基板１ａの上面側には支持フレーム上に反射型液晶表示器、スペーサ、フロントライト、アイコンシート及びタッチパネル（共に図示せず。）を下から順に積層して形成された操作面としての液晶表示部（データ表示部）５が配設されており、更に、主要回路基板１ａの前方にはデジタルカメラユニット（図示せず。）が配設されている。
【００２７】
液晶表示部５は上側半体２Ｕの上側面２ａに形成された開口部６に露出しており、蓋部４の開状態で視認可能とされ、蓋部４の閉状態で全面が覆われるようになっている。また、機器本体２の液晶表示部５の後方には電源ボタン７及び蓋部４を着脱可能に係止する係止爪８が配設され、該電源ボタン７の後方には電池９ａ（図１５参照）が収納される電池収容部が形成されて電池カバー９で覆われている。なお、符号１９は電池カバー９の係止部材である。
【００２８】
機器本体２の左側面２ｂには前側から後側にかけて順番に、軸方向とその回りの４方向に操作可能な操作ボタン１０、キャンセルボタン１１、係止爪８による蓋部４の係止を解除する係止解除ボタン１２及びストラップ取付部１３が配設され、機器本体２の右側面２ｃにはメモリカード等のスロット（共に図示せず。）が配設されてカバー１４で覆われている。
【００２９】
また、機器本体２の下側面２ｄの前側にはタッチペン１５が収納され、タッチペン１５の前方の左側面２ｂ側に寄った位置にはデジタルカメラユニットのレンズ１６が配設され、機器本体２の前側面２ｅの右側面２ｃ側に寄った位置にはデジタルカメラのシャッターボタン１７が配設され、更に、機器本体２の後側面２ｆには携帯電話やＰＨＳユニット等の通信機器を接続する通信コネクタ１８が設けられてカバー１８ａで覆われている。
【００３０】
機器本体２の上側面２ａの液晶表示部５の前方位置には、機器本体２に対して蓋部４を回動可能に連結する回動軸としての二重筒構造のグリスダンパー３が設けられている。
【００３１】
グリスダンパー３はその軸線を機器本体２の幅方向（左右方向）に向けて配置されており、また、グリスダンパー３の左側面２ｂ側にはデジタルカメラユニットのファインダ２０が配置され、グリスダンパー３の後方には後述するフレキシブルプリントケーブル６６の挿通穴６７が形成されている。
【００３２】
グリスダンパー３、挿通穴６７及びファインダ２０は裏側からビス止め等で機器本体２に取り付けられたヒンジカバー２１によって覆われており、ヒンジカバー２１のファインダ２０に対応する部分には開口部２２が形成されている。
【００３３】
図５〜図９を参照して、グリスダンパー３は、回転可能な円筒状の可動シャフト３１と、該可動シャフト３１内に挿通配置された円筒状の固定シャフト３２と、可動シャフト３１と固定シャフト３２との間に介在されたグリス３３とを備えており、該グリス３３の粘性により可動シャフト３１の回転にブレーキ力が作用するようになっている。
【００３４】
可動シャフト３１の右端部には蓋部４に固定するためのブラケット４０が取り付けられており、また、可動シャフト３１の右端部内周面には回り止め用のキー４１が軸方向に沿って形成されている。
【００３５】
一方、固定シャフト３２は可動シャフト３１より長尺とされて可動シャフト３１の左端部から突出しており、該突出部分にはねじりコイルばね３４が外挿され、また、固定シャフト３２の突出端部（左端部）には機器本体２に固定するためのブラケット３５が取り付けられている。
【００３６】
ねじりコイルばね３４の両端の巻き端には固定用の係止フック３６ａ，３６ｂが設けられており、左端側の係止フック３６ａは固定シャフト３２の左端側周壁を貫通して形成された係止穴３７に嵌合固定され、右端側の係止フック３６ｂは可動シャフト３１の左端側周壁を貫通して形成された係止穴３８に嵌合固定される。
【００３７】
また、固定シャフト３２の右端部には、周壁を周方向に１８０°切り欠いて形成されて可動シャフト３１の回り止めキー４１が係止される切り欠き部３９が設けられている。更に、図８及び図９に示すように、固定シャフト３２の内部の穴は右端側が通常の断面円形状とされ、左端側（フレキシブルプリントケーブル６６の出口側）にいくにつれて徐々に断面偏平形状となるように変化がつけられている。
【００３８】
そして、グリスダンパー３の組み付けに際しては、まず、ねじりコイルばね３４を固定シャフト３２の突出部分に外挿して該ねじりコイルばね３４の左端側の係止フック３６ａを固定シャフト３２の係止穴３７に嵌合固定すると共に、右端側の係止フック３６ｂを可動シャフト３１の係止穴３８に嵌合固定する。
【００３９】
次いで、可動シャフト３１を軸方向右方（図６のＣ方向）に引っ張って該可動シャフト３１の回り止めキー４１と固定シャフト３２の切り欠き部３９との周方向の位相をずらし、この状態で可動シャフト３１を蓋部４の閉回動方向（図６の矢印Ａ方向：ねじりコイルばねの締り方向）に一回転させて該可動シャフト３１を軸方向左方（図６の矢印Ｄ方向）に戻し、戻す際に可動シャフト３１の回り止めキー４１を固定シャフト３２の切り欠き部３９に係止させる。
【００４０】
これにより、可動シャフト３１の蓋部４の開方向（図６の矢印Ｂ方向）への回転が規制されると共に、ねじりコイルばね３４によって蓋部４の開方向（図６の矢印Ｂ方向）への付勢力が付与される。なお、可動シャフト３１の蓋部４の開方向への回転が規制される位置は、蓋部４の全開位置とされている。
【００４１】
このように構成されたグリスダンパー３は、固定シャフト３２のブラケット３５が機器本体２にビス止め等により固定されると共に、可動シャフト３１のブラケット４０が蓋部４にビス止め等により固定されている。
【００４２】
蓋部４は、図１０及び図１１に示すように、下ケース５０、アンテナ一体型ＧＰＳ基板ユニット５１、上ケース５２及び化粧カバー５３を備えている。
【００４３】
下ケース５０にはアンテナ一体型ＧＰＳ基板ユニット５１を収納する収納凹部５４が形成されており、また、下ケース５０の基端部（蓋部４の連結側の端部）側の幅方向の両側にはそれぞれ腕部５５ａ，５５ｂが突出形成されている。下ケース５０の基端部側の壁部５０ａと腕部５５ａ，５５ｂとによって形成された開口部５６の形状はヒンジカバー２１に対応するようになっている。
【００４４】
下ケース５０の収納凹部５４の左右の側縁部にはビス止め用ボス部５７ａがそれぞれ前後方向に離間して合計４箇所形成されている。また、右側の腕部５５ｂには、グリスダンパー３の可動シャフト３１に設けられたブラケット４０を固定するためのビス止め用ボス部５７ｂが形成されている。
【００４５】
アンテナ一体型ＧＰＳ基板ユニット５１は、図１１〜図１３を参照して、下ケース５０の収納凹部５４に対応する形状の回路基板５８を有しており、左右両側には収納凹部５４のビス止め用ボス部５７ａを挿通可能になす切り欠き部５９がビス止め用ボス部５７ａの数に対応して形成されている。
【００４６】
また、回路基板５８の略中央部には平面型パッチアンテナ６０が実装され、平面型パッチアンテナ６０の下ケース５０の先端部側にはアンプ６１が実装され、平面型パッチアンテナ６０の下ケース５０の基端部側にはレシーバ６２が実装されている。これにより、グリスダンパー３から蓋部４の先端側に向けてグリスダンパー３、レシーバ６２、平面型パッチアンテナ６０及びアンプ６１の順番に配置されている。
【００４７】
アンプ６１及びレシーバ６２にはそれぞれ個別のシールド板６３及び６４がハンダ付け等により取り付けられており、これにより、アンプ６１側とレシーバ６２側がそれぞれノイズの影響等で干渉するのを防止している。シールド板６３，６４は、共に板金加工により四方の側面を有する箱状に形成されている。
【００４８】
また、シールド板６３，６４の天板部分は平面型パッチアンテナ６０の天面より低くなっており、これにより、平面型パッチアンテナ６０の受信特性をシールド板６３，６４が劣化させるのを防止している。
【００４９】
回路基板５８の基端側の幅方向の略中央部にはコネクタ６５が設けられ、該コネクタ６５には平面状のフレキシブルプリントケーブル６６が接続されるようになっている。回路基板５８の裏面（実装面の反対側の面）側には、図１４に示すように、地板として機能するグランド層Ｇが設けられている。
【００５０】
グランド層Ｇは平面型パッチアンテナ６０の指向性に重要な役割を担うものであり、回路基板５８の裏面の略全域にわたって該回路基板５８と一体的に設けられている。
【００５１】
グランド層Ｇの中央部は蓋部４の幅方向に沿ってアンプ６１側とレシーバ６２側とに分離されており、該分離部８０は蓋部４の幅方向の一側で部分的に接続されている。これにより、平面型パッチアンテナ６０の受信感度を安定したものとすることができる。また、平面型パッチアンテナ６０は、グランド層Ｇの中央部よりアンプ６１側に配置されている。
【００５２】
そして、平面型パッチアンテナ６０で受信した電波はアンプ６１によって増幅された後、レシーバ６２に供給されてデジタル信号化され、コネクタ６５に接続されたフレキシブルプリントケーブル６６を介して主要回路基板１ａに出力されるようになっている。
【００５３】
主要回路基板１ａには受信処理回路が実装されており、該受信処理回路はレシーバ６２からフレキシブルプリントケーブル６６を介して出力されたデジタル信号を位置情報として処理すると共に、現在地を表示した地図を液晶表示部５に表示する。
【００５４】
上ケース５２は下ケース５０の収納凹部５４に収納されたアンテナ一体型ＧＰＳ基板ユニット５１を覆うためのものであり、左右の側縁部にはビス挿通穴６８ａが下ケース５０のビス止め用ボス部５７ａに対応して合計４箇所形成されている。
【００５５】
また、上ケース５２の基端部側の幅方向の両側にはそれぞれ腕部６９ａ，６９ｂが下ケースの腕部５５ａ，５５ｂに対応して突出形成されており、右側の腕部６９ｂにはビス挿通穴６８ｂが下ケース５０の腕部５５ｂのビス止め用ボス部５７ｂに対応して形成されている。
【００５６】
そして、下ケース５０の左側の腕部５５ａと上ケース５２の左側の腕部６９ａとによって、機器本体２のファインダ２０の左側壁に形成された突起２０ａ（図４参照））に回動可能に嵌合される嵌合穴７０が形成され、下ケース５０の右側の腕部５５ｂと上ケース５２の右側の腕部６９ｂとによって、グリスダンパー３の可動シャフト３１の右端部を保持する筒部７１が形成されている。
【００５７】
蓋部４の組み付けに際しては、下ケース５０の収納凹部５４にアンテナ一体型ＧＰＳ基板ユニット５１を収納して下ケース５０側のビス止め用ボス部５７ａとアンテナ一体型ＧＰＳ基板ユニット５１側の切り欠き部５９とを合わせ、次いで、下ケース５０の右側の腕部５５ｂのビス止め用ボス部５７ｂにグリスダンパー３の可動シャフト３１に設けられたブラケット４０のビス挿通穴４０ａを合わせる。
【００５８】
次いで、上ケース５２によってアンテナ一体型ＧＰＳ基板ユニット５１を覆って上ケース５２側のビス挿通穴６８ａを下ケース５０側のビス止め用ボス部５７ａに合わせると共に、上ケース５２の右側の腕部６９ｂのビス挿通穴６８ｂを下ケース５０の右側の腕部５５ｂのビス止め用ボス部５７ｂ（ブラケット４０のビス挿通穴４０ａ）に合わせる。
【００５９】
次いで、上ケース５２のビス挿通穴６８ａからビス７２を挿入して下ケース５０のビス止め用ボス部５７ａに締め付けると共に、上ケース５２の右側の腕部６９ｂのビス挿通穴６８ｂからビス７２を挿入して下ケース５０の右側の腕部５５ｂのビス止め用ボス部５７ｂに締め付け、その後、上ケース５２に化粧カバー５３を接着等により装着する。
【００６０】
次いで、下ケース５０の左側の腕部５５ａと上ケース５２の左側の腕部６９ａとによって形成された嵌合穴７０を機器本体２のファインダ２０の左側壁に形成された突起２０ａに回動可能に嵌合すると共に、グリスダンパー３の固定シャフト３２のブラケット３５をビスを介して機器本体２に固定し、これにより、蓋部４がグリスダンパー３を介して機器本体２に回動可能に連結される。
【００６１】
このとき、蓋部４のアンテナ一体型ＧＰＳ基板ユニット５１のコネクタ６５に接続されたフレキシブルプリントケーブル６６はグリスダンパー３の固定シャフト３２の右端側から内部を通って回動軸線に沿って該固定シャフト３２の左端側に導出され、その後、機器本体２の上側面２ａに設けられた挿通穴６７を通って機器本体２内の主要回路基板１ａに電気的に接続されている。
【００６２】
そして、この状態で蓋部４をグリスダンパー３のねじりコイルばね３４の付勢力に抗して閉回動させて該蓋部４を係止爪８で係止することにより、機器本体２の液晶表示部５の全域が蓋部４の化粧カバー５３（平面型パッチアンテナ６０、アンプ６１及びレシーバ６２の実装面側）で覆われて保護され、また、機器本体２の左側面２ｂに設けられた係止解除ボタン１２を手前に引いて係止爪８による蓋部４の係止を解除することにより、蓋部４がグリスダンパー３のねじりコイルばね３４の付勢力によって開方向の回動するが、このときの回動はグリスダンパー３のブレーキ作用によりゆっくりとしたものとすることができる。
【００６３】
なお、この実施の形態では、蓋部４の全閉位置から全開位置までの回動可能角度範囲θを２００°としている。
【００６４】
蓋部４の回動可能角度範囲θを２００°と大きくとった理由は、蓋部４を開いて携帯型情報端末１を使用する際の液晶表示部５の視認性、タッチペン１５等によるタッチパネルの操作性を確保すると共に、液晶表示部５の画面を見やすくするために機器本体２を水平状態から手前に例えば２０°程度傾けて使用する際に蓋部４に内蔵された平面型パッチアンテナ６０を通信衛星からの電波を受信しやすい略水平位置に配置するためである。
【００６５】
次に、かかる構成の携帯型情報端末１の作用効果を使用方法の一例と共に説明する。
【００６６】
携帯型情報端末１を携帯或いは収納する場合は、蓋部４をグリスダンパー３のねじりコイルばね３４の付勢力に抗して閉回動させて該蓋部４を係止爪８で係止する。このとき、機器本体２の液晶表示部５の全域が蓋部４の化粧カバー５３（平面型パッチアンテナ６０、アンプ６１及びレシーバ６２の実装面側）で覆われて保護される（図１５（ａ）参照）。
【００６７】
この状態で、携帯型情報端末１を使用する場合は、機器本体２を例えば左手で把持した状態で機器本体２の左側面２ｂに設けられた係止解除ボタン１２を手前に引くと、係止爪８による蓋部４の係止が解除され、グリスダンパー３のねじりコイルばね３４の付勢力及びグリスダンパー３のブレーキ力の共働作用により、蓋部４が開方向にゆっくりと２００°回動して全開状態となる（図１５（ｂ）参照）。
【００６８】
そして、通信コネクタ１８に携帯電話やＰＨＳユニット等の通信機器を接続した状態で、電源ボタン７を押圧することにより、機器本体２に収容された電池からの電力がアンテナ一体型ＧＰＳ基板ユニット５１の回路基板５８、主要回路基板１ａ及びデジタルカメラユニットの回路基板に供給される。
【００６９】
次いで、この状態で、例えばタッチペン１５を使用してタッチパネルでトップメニューを表示させ、これに表示されている現在地表示、地図ナビゲーション、電子メール、インターネットその他の処理の何れかをタッチペン１５で選択することにより、それに対応したアプリケーションソフトが起動されて選択された処理が実行され、必要な情報が液晶表示部５に表示される。なお、デジタルカメラを操作する場合は、ファインダ２０を覗きながらシャッターボタン１７を操作すればよい。
【００７０】
液晶表示部５に表示された情報を視認するには、機器本体２を水平状態から手前に約２０°傾けると液晶画面が見やすくなり、この状態で蓋部４に内蔵された平面型パッチアンテナ６０は水平配置されて通信衛星からの電波を受信しやすい位置に配置される。
【００７１】
ここで、この実施の形態では、蓋部４にアンテナ一体型ＧＰＳ基板ユニット５１を内蔵して、蓋部４の基端部から先端側に向けてレシーバ６２、平面型パッチアンテナ６０及びアンプ６１の順番に配置しているため、蓋部４の全開状態においては、主要回路基板１ａに対して平面型パッチアンテナ６０を製品（蓋部４の全閉状態）の投影面積以上に遠ざけることができ、この結果、平面型パッチアンテナ６０が主要回路基板１ａから放射されるノイズの影響を受けにくくなって、安定した受信性能を確保することができ、また、主要回路基板１ａから放射されるノイズが大きく影響するアンプ６１を主要回路基板１ａからできるだけ離れた位置に配置することができる。
【００７２】
また、アンテナ一体型ＧＰＳ基板ユニット５１の回路基板５８の裏面にグランド層Ｇが略全域にわたって広い範囲に設けられているため、安定した受信指向性が得られて受信感度の向上を図ることができる。
【００７３】
更に、グランド層Ｇの中央部よりアンプ６１側に寄った位置に平面型パッチアンテナ６０を配置しグランド層Ｇの中央部よりアンプ６１側に寄った位置に平面型パッチアンテナ６０を配置しているため、数多くの衛星からの電波を捕捉することができる。
【００７４】
即ち、アンテナと地板とは本来アンテナが持っている指向性を地板が調整する関係にあり、アンテナ単体だと図１６（ａ）のような指向性を示すものが、図１６（ｂ）に示すように、アンテナの底面に地板を配置することで、低い仰角に対する感度が下がって高い仰角での感度が上がるように変化する。
【００７５】
また、図１６（ｃ）及び図１６（ｄ）に示すように、地板をアンテナに対して左右方向に不均一に配置すると、アンテナから左右方向に突出する地板の長さが短い側の方よりも長い側の方が低仰角特性がカットされる。
【００７６】
この実施の形態では、平面型パッチアンテナ６０を蓋部４の幅方向については略中央部に配置しているが、蓋部４の基端部から先端側の方向については平面型パッチアンテナ６０を蓋部４（グランド層Ｇ）の中央部よりアンプ６１側に寄った位置に配置しているため、図１７に示すように、機器本体２を水平状態から手前に約２０°傾けて蓋部４に内蔵された平面型パッチアンテナ６０を水平配置して通信衛星からの電波を受信しやすい状態にした場合においては、平面型パッチアンテナ６０から操作者側に突出するグランド層Ｇの長さがアンプ６１側に突出する長さよりも長くなる。
【００７７】
従って、平面型パッチアンテナ６０より操作者側では低仰角に対しての指向性がカットされ、平面型パッチアンテナ６０よりアンプ６１側では低仰角に対しての指向性が確保されることになる。
【００７８】
このことは、操作者自身の人体が衛星からの受信電波に対する壁になってしまうことを考えれば、平面型パッチアンテナ６０より操作者側での低仰角に対する指向性を無駄にしても、その分、平面型パッチアンテナ６０よりアンプ６１側での低仰角に対する指向性を確保した方が数多くの衛星からの電波を捕捉できる可能性が高まる結果となる。
【００７９】
更に、レシーバ６２を平面型パッチアンテナ６０とグリスダンパー３との間に配置しているため、アンテナ一体型ＧＰＳ基板ユニット５１のコネクタ６５に接続されたフレキシブルプリントケーブル６６をグリスダンパー３の固定シャフト３２の内部に通すための経路を最短にすることができる。
【００８０】
更に、レシーバ６２、平面型パッチアンテナ６０及びアンプ６１は回路基板５８に一体に実装されているため、従来のように、アンプｉとレシーバｆとを接続する高価な同軸ケーブルｋや接続用のコネクタが不要になり、この結果、構造が簡単となると共に、コスト低減を図ることができる。
【００８１】
更に、蓋部４にアンテナ一体型ＧＰＳ基板ユニット５１を内蔵し、しかも、レシーバ６２、平面型パッチアンテナ６０及びアンプ６１を平面的に分散して配置しているため、従来のような積層タイプに比べて小型化及び薄型化を図ることができる。
【００８２】
なお、上記実施の形態では、回動軸として、ねじりコイルばね３４が一体となったグリスダンパー３を採用しているが、必ずしもこれに限定する必要はなく、例えば蓋部４の回動可能角度範囲内で一定のトルクを有してどの角度位置でも止まるような構造、蓋部４の全閉開度と全開角度の２点で掛止されるような構造、或いは、ラチェット機構により小刻みな間欠的な回動を行う構造等を採用することができる。
【００８３】
次に、図１８〜図２０を参照して、本発明の第２の実施の形態である携帯型情報端末を説明する。
【００８４】
この携帯型情報端末１００は、機器本体１０２の前端部に蓋部１０４とカード状の固定部１０５とを備えたＧＰＳ受信装置１０１を着脱自在に装着したものであり、機器本体１０２の前端面にはコンパクトフラッシュという標準的なインターフェースのカードスロット１０３が設けられている。
【００８５】
蓋部１０４は固定部１０５に回動軸１０６を介して回動可能に連結されている。ＧＰＳ受信装置１０１の固定部１０５を機器本体１０２のカードスロット１０３に挿入することにより、蓋部１０４側の回路と機器本体１０２側の回路が電気的に接続されるようになっている。なお、カードスロット１０３はＰＣＭＣＩＡやその他のインターフェースでもよい。
【００８６】
蓋部１０４の内部構造は上記第１の実施の形態と略同様であり、蓋部１０４の基端部から先端側に向けてレシーバ６２、平面型パッチアンテナ６０及びアンプ６１の順番に配置されている。固定部１０５には、機器本体１０２側との通信をするインターフェース回路が内蔵されている。
【００８７】
固定部１０５を機器本体１０２のカードスロット１０３に挿入した際には固定部１０５の先端コネクタ１０５ａの嵌合力によって安定して保持されるようになっている。なお、別途に、機器本体１０２のカードスロット１０３に固定部１０５を係止する係止構造を設けてもよい。
【００８８】
回動軸１０６としては、例えば蓋部１０４の回動可能角度範囲内で一定のトルクを有してどの角度位置でも止まるような構造、蓋部１０４の全閉開度と全開角度の２点で掛止されるような構造、或いは、ラチェット機構により小刻みな間欠的な回動を行う構造等を採用することができる。
【００８９】
そして、携帯型情報端末１００を携帯或いは収納する場合は、蓋部１０４を閉回動させて機器本体１０２の液晶表示部１５０の全域を覆って保護し（図１９参照）、この状態で、携帯型情報端末１００を使用する場合は、機器本体１０２を例えば左手で把持した状態で蓋部１０４を開方向に回動させる。
【００９０】
蓋部１０４の回動可能角度範囲は上記第１の実施の形態と同様に約２００°であり、従って、液晶表示部１５０に表示された情報を視認するには、機器本体１０２を水平状態から手前に約２０°傾けると液晶画面が見やすくなり、この状態で蓋部１０４に内蔵された平面型パッチアンテナは水平配置されて通信衛星からの電波を受信しやすい位置に配置される（図２０参照）。
【００９１】
なお、この実施の形態では、ＧＰＳ受信装置１０１がＧＰＳ受信機能と機器本体１０２のインターフェース機能のみを備えた形態を例に採ったが、これに代えて、ＧＰＳ受信装置１０１に電源や主要制御機能を内蔵して、ＧＰＳ受信装置１０１単独で使用可能な形態にしてもよく、例えば回動軸１０６の内部に電池を収容し、固定部１０５に主要制御回路、簡単な入力装置及び表示装置を備えるようにしてもよい。
【００９２】
次に、図２１及び図２２を参照して、本発明の第３の実施の形態である携帯型情報端末を説明する。
【００９３】
この携帯型情報端末２００は、機器本体２０２の下側面に蓋部２０４と固定部２０５とを備えたＧＰＳ受信装置２０１を着脱自在に装着したものであり、機器本体２０２の下側面には独自のインターフェースコネクタ（図示せず。）及び固定部２０５側の係止部（係止爪）２０８に係止される被係止部（図示せず。）が設けられている。
【００９４】
蓋部２０４は、固定部２０５に回動軸２０６を介して回動可能に連結されている。蓋部２０４の内部構造は上記第１の実施の形態と略同様であり、蓋部２０４の基端部から先端側に向けてレシーバ６２、平面型パッチアンテナ６０及びアンプ６１の順番に配置されている。
【００９５】
固定部２０５には機器本体２０２側との通信をするインターフェース回路が内蔵されており、固定部２０５の上側面には機器本体２０２側のインターフェースコネクタに接続されるインターフェースコネクタ２０９及び機器本体２０２側の被係止部に係止される係止爪２０８が設けられている。
【００９６】
機器本体２０２側のインターフェースコネクタに固定部２０５側のインターフェースコネクタ２０９を接続すると共に、機器本体２０２側の被係止部に固定部２０５側の係止爪２０８を係止することにより、機器本体２０２にＧＰＳ受信装置２０１が装着されるようになっている。
【００９７】
回動軸２０６としては、第２の実施の形態と同様に、例えば蓋部２０４の回動可能角度範囲内で一定のトルクを有してどの角度位置でも止まるような構造、蓋部２０４の全閉開度と全開角度の２点で掛止されるような構造、或いは、ラチェット機構により小刻みな間欠的な回動を行う構造等を採用することができる。
【００９８】
そして、携帯型情報端末２００を携帯或いは収納する場合は、蓋部２０４を閉回動させて機器本体２０２の液晶表示部２５０の全域を覆って保護し（図２２参照）、この状態で、携帯型情報端末２００を使用する場合は、機器本体２０２と固定部２０５との接続体を例えば左手で把持した状態で蓋部２０４を開方向に回動させる。
【００９９】
蓋部２０４の回動可能角度範囲は上記第１の実施の形態と同様に約２００°であり、従って、液晶表示部２５０に表示された情報を視認するには、機器本体２０２を水平状態から手前に約２０°傾けると液晶画面が見やすくなり、この状態で蓋部２０４に内蔵された平面型パッチアンテナは水平配置されて通信衛星からの電波を受信しやすい位置に配置される。
【０１００】
なお、この実施の形態も第２の実施の形態と同様に、ＧＰＳ受信装置２０１がＧＰＳ受信機能と機器本体２０２のインターフェース機能のみを備えた形態を例に採ったが、これに代えて、ＧＰＳ受信装置２０１に電源や主要制御機能を内蔵して、ＧＰＳ受信装置２０１単独で使用可能な形態にしてもよく、例えば回動軸２０６の内部に電池を収容し、固定部２０５に主要制御回路、簡単な入力装置及び表示装置を備えるようにしてもよい。
【０１０１】
【発明の効果】
上記の説明から明らかなように、請求項１の発明によれば、簡単な構造で薄型化及び小型化を低コストで達成することができると共に、良好且つ安定性に優れた受信感度及び受信性能を確保することができるという効果が得られる。
【０１０２】
請求項２の発明では、請求項１の発明に加えて、数多くの衛星からの電波を捕捉することができるという効果が得られる。
【０１０３】
請求項３の発明では、請求項１又は２の発明に加えて、アンプ側とレシーバ側がそれぞれノイズの影響等で干渉するのを防止することができるという効果が得られる。
【０１０４】
請求項４の発明では、請求項３の発明に加えて、アンプ及びレシーバを個別に覆うシールド板が平面型アンテナの受信特性を劣化させるのを防止することができるという効果が得られる。
【０１０５】
請求項５の発明では、請求項１〜４のいずれか一項の発明に加えて、平面型アンテナの受信感度をより安定性に優れたものとすることができるという効果が得られる。
【図面の簡単な説明】
【図１】本発明の実施の形態の一例である携帯型情報端末を説明するための蓋部を全開状態にした全体斜視図である。
【図２】図１に示す携帯型情報端末の蓋部を全閉状態にした全体斜視図である。
【図３】図１に示す携帯型情報端末の裏面側から見た全体斜視図である。
【図４】携帯型情報端末の蓋部を全開状態にし、且つ、ヒンジカバーを取り外した状態の全体斜視図である。
【図５】グリスダンパーの全体斜視図である。
【図６】グリスダンパーの分解斜視図である。
【図７】図６の矢印Ｅ方向から見た斜視図である。
【図８】グリスダンパーの内部構造を説明するための説明的断面図である。
【図９】（ａ）は図８のＡ−Ａ線断面図、（ｂ）は図８のＢ−Ｂ線断面図である。
【図１０】蓋部の全体斜視図である。
【図１１】蓋部の分解斜視図である。
【図１２】アンテナ一体型ＧＰＳ基板ユニットの全体斜視図である。
【図１３】アンテナ一体型ＧＰＳ基板ユニットのアンプのシールド板とレシーバのシールド板とを取り外した状態を示す分解斜視図である。
【図１４】グランド層のパターンを説明するための平面図である。
【図１５】（ａ）は蓋部を全閉状態にした概略図、（ｂ）は蓋部を全開状態にした概略図である。
【図１６】地板と平面型アンテナとの位置関係による指向性の相違を説明するための説明図である。
【図１７】本実施形態のグランド層と平面型パッチアンテナとの位置関係での指向性を説明するための説明図である。
【図１８】本発明の第２の実施の形態である携帯型情報端末を説明するための説明的斜視図である。
【図１９】蓋部を機器本体に装着し、且つ、蓋部を全閉にした状態を説明するための説明的側面図である。
【図２０】蓋部を全開にした状態を説明するための説明的側面図である。
【図２１】本発明の第３の実施の形態である携帯型情報端末を説明するための説明的斜視図である。
【図２２】液晶表示部を機器本体に装着し、且つ、蓋部を全閉にした状態を説明するための説明的側面図である。
【図２３】従来の携帯型情報端末を説明するための説明的斜視図である。
【図２４】図２３の携帯型情報端末のケースを取り除いて主要部分の配置を説明するための説明的斜視図である。
【符号の説明】
１…携帯情報端末
１ａ…主要回路基板
２…機器本体
３…グリスダンパー（回動軸）
４…蓋部
５…液晶表示部（データ表示部）
５０…下ケース
５１…アンテナ一体型ＧＰＳ基板ユニット
５２…上ケース
５３…化粧カバー
５８…回路基板
６０…平面型パッチアンテナ
６１…アンプ
６２…レシーバ
６３…シールド板
６４…シールド板
８０…グランド層の分離部分
Ｇ…グランド層
【図１】
0003558023.tif 000002
【図２】
0003558023.tif 000003
【図３】
0003558023.tif 000004
【図４】
0003558023.tif 000005
【図５】
0003558023.tif 000006
【図６】
0003558023.tif 000007
【図７】
0003558023.tif 000008
【図８】
0003558023.tif 000009
【図９】
0003558023.tif 000010
【図１０】
0003558023.tif 000011
【図１１】
0003558023.tif 000012
【図１２】
0003558023.tif 000013
【図１３】
0003558023.tif 000014
【図１４】
0003558023.tif 000015
【図１５】
0003558023.tif 000016
【図１６】
0003558023.tif 000017
【図１７】
0003558023.tif 000018
【図１８】
0003558023.tif 000019
【図１９】
0003558023.tif 000020
【図２０】
0003558023.tif 000021
【図２１】
0003558023.tif 000022
【図２２】
0003558023.tif 000023
【図２３】
0003558023.tif 000024
【図２４】
0003558023.tif 000025